(57)【要約】【課題】対象年齢幅が大きいベビーバスを提供する。【解決手段】可撓性材料により作られたチューブ内に空気を注入することによって浴槽を形成してなるベビーバスであって、浴槽内底部に他の部分と独立して空気を入れることのできるお尻ストッパー用チューブ１７を設け、該お尻ストッパー用チューブ１７に空気を入れたときに浴槽内に突出して乳幼児のおしりを支持するお尻ストッパー５となるようにした。上記構成により、乳幼児が成長してお尻ストッパーが不要になったときや、月齢の大きな乳幼児に使用するときには、お尻ストッパーのみ空気を入れないで使用することで、通常の浴槽として使用でき、対象年齢が長くなる。【選択図】  図１
2008036036.tif 000002
【特許請求の範囲】
【請求項１】
可撓性材料により作られたチューブ内に空気を注入することによって浴槽を形成してなるベビーバスであって、
浴槽内底部に他の部分と独立して空気を入れることのできるお尻ストッパー用チューブを設け、該お尻ストッパー用チューブに空気を入れたときに浴槽内に突出して乳幼児のおしりを支持するお尻ストッパーとなるようにしたことを特徴とするベビーバス。
【請求項２】
お尻ストッパー用チューブを、空気を抜いた状態で収納する収納手段を設けたことを特徴とする請求項１に記載のベビーバス。
【請求項３】
可撓性材料により作られたチューブ内に空気を注入することによって浴槽を形成してなるベビーバスであって、
他の部分と独立して空気を入れることのできる小物置きチューブを設け、該小物置きチューブに空気を入れたときに小物置きになるようにしたことを特徴とするベビーバス。
【請求項４】
小物置きチューブを、空気を抜いた状態で収納する収納手段を設けたことを特徴とする請求項３に記載のベビーバス。
【請求項５】
可撓性材料により作られたチューブ内に空気を注入することによって浴槽を形成してなるベビーバスであって、
他の部分と独立して空気を入れることができ、空気を入れることで機能部材となる機能部材用チューブを有し、該機能部材用チューブを、空気を抜いた状態で収納する収納手段を備えてなることを特徴とするベビーバス。
【請求項６】
収納手段は、空気を抜いたチューブを収納できる収納袋からなることを特徴とする請求項２、４または５に記載のベビーバス。
【請求項７】
収納手段は、チューブの一部をベビーバス本体側に着脱可能に固定する留め手段を備えてなることを特徴とする請求項２、４または５に記載のベビーバス。
【発明の詳細な説明】
【技術分野】
【０００１】
本発明は、乳幼児を入浴させるときに使用されるベビーバスに関する。
【背景技術】
【０００２】
乳幼児の入浴に使用されるベビーバスに関しては種々のものが提案されている。そして、その中でも、特にビニールなどの軟質部材に空気を入れることによって槽を形成すると共に乳幼児を浴槽内で安定させるための支持部材を備えたものがある（例えば、特許文献１、２参照）。
【特許文献１】実開昭６１−５１０９１号公報
【特許文献２】実用新案登録２５８４０４１号公報
【発明の開示】
【発明が解決しようとする課題】
【０００３】
しかしながら、特許文献１、２に記載のものはいずれもお尻ストッパー（特許文献１では凸部、特許文献２では尻置き台）と浴槽の底部を一体として考えている。つまり、空気を入れて浴槽を形成したときにお尻ストッパーにも空気が入り、お尻ストッパーが形成されるというものである。したがって、お尻ストッパーに空気を入れないで浴槽を形成することができない。
【０００４】
しかしながら、育児に用いる製品においては、乳幼児の成長が速く、すぐに製品の適応年齢の枠を越えてしまうという問題がある。例えば、ベビーバスにおいても、乳幼児の月齢が小さいときにはお尻ストッパーを使用するが、月齢が大きくなると乳幼児の身長が伸びるので、お尻ストッパーがあると却って邪魔になる。そのため、お尻ストッパー付きのベビーバスが使用できる期間が短くなってしまうのである。
このように、上記の従来例のものは、乳幼児が大きくなると、お尻ストッパーが邪魔になり、使用できない若しくは使用しづらくなり、結局、製品の対象年齢幅が小さいという問題がある。
【０００５】
本発明は係る課題を解決するためになされたものであり、対象年齢幅が大きいベビーバスを提供することを目的としている。
【課題を解決するための手段】
【０００６】
（１）本発明に係るベビーバスは、可撓性材料により作られたチューブ内に空気を注入することによって浴槽を形成してなるベビーバスであって、
浴槽内底部に他の部分と独立して空気を入れることのできるお尻ストッパー用チューブを設け、該お尻ストッパー用チューブに空気を入れたときに浴槽内に突出して乳幼児のおしりを支持するお尻ストッパーとなるようにしたことを特徴とするものである。
【０００７】
（２）また、上記（１）に記載のものにおいて、お尻ストッパー用チューブを、空気を抜いた状態で収納する収納手段を設けたことを特徴とするものである。
【０００８】
（３）また、可撓性材料により作られたチューブ内に空気を注入することによって浴槽を形成してなるベビーバスであって、
他の部分と独立して空気を入れることのできる小物置きチューブを設け、該小物置きチューブに空気を入れたときに小物置きになるようにしたことを特徴とするものである。
【０００９】
（４）また、上記（３）に記載のものにおいて、小物置きチューブを、空気を抜いた状態で収納する収納手段を設けたことを特徴とするものである。
【００１０】
（５）また、可撓性材料により作られたチューブ内に空気を注入することによって浴槽を形成してなるベビーバスであって、
他の部分と独立して空気を入れることができ、空気を入れることで機能部材となる機能部材用チューブを有し、該機能部材用チューブを、空気を抜いた状態で収納する収納手段を備えてなることを特徴とするものである。
【００１１】
（６）また、上記（２）、（４）または（５）に記載の収納手段は、空気を抜いたチューブを収納できる収納袋からなることを特徴とするものである。
【００１２】
（７）また、上記（２）、（４）または（５）に記載の収納手段は、チューブの一部をベビーバス本体側に着脱可能に固定する留め手段を備えてなることを特徴とするものである。
【発明の効果】
【００１３】
本発明に係るベビーバスは、浴槽内底部に他の部分と独立して空気を入れることのできるお尻ストッパー用チューブを設け、該お尻ストッパー用チューブに空気を入れたときに浴槽内に突出して乳幼児のおしりを支持するお尻ストッパーとなるようにしたので、乳幼児が成長してお尻ストッパーが不要になったときや、月齢の大きな乳幼児に使用するときには、お尻ストッパーのみ空気を入れないで使用することで、通常の浴槽として使用でき、対象年齢が長くなるという効果が得られる。
【発明を実施するための最良の形態】
【００１４】
［実施の形態１］
図１は本発明に係るベビーバスの全体形状を示した斜視図、図２は正面図、図３は左側面図、図４は右側面図、図５は平面図、図６は底面図である。本明細書において、「前側」とは、ベビーバスの浴槽内に乳幼児を入れた状態で乳幼児の頭が配置される側をいい、「後側」とは同じ状態で乳幼児の足が配置される側をいう。
【００１５】
図１〜図６に基づいて、本実施の形態のベビーバスを説明する。
本実施の形態のベビーバス１は、ビニールなどの可撓性シート材を気密状態にしてなるものであって、空気を注入することで膨らんで浴槽となるものである。
ベビーバス１は、図１〜図６に示すように、空気を入れた状態で、底部３と、底部３に設けられたお尻ストッパー５と、底部３の周囲に立設されて略Ｕ字状の周壁を形成する周壁部７と、底部３の前方側の下面に設置された脚部９と、を備えている。以下、各部の構成を詳細に説明する。
【００１６】
＜底部＞
底部３は浴槽の後端側から前端側に連続して形成されており、後端から前端にかけて約３分の２の部分が水平になっており、それよりも前側は、図７に示すようになだらかな円弧をなして斜め上方に立ち上がる傾斜部１０となっている。水平部で乳幼児の下半身を支持し、傾斜部１０で乳幼児の上半身を支持する。
【００１７】
底部３は、浴槽の幅方向に延びる複数のチューブが前後方向に並んで配置されている（図１、図５参照）。各チューブは、底部３の上面側と下面側のシートを溶着することで袋状に形成されているが、その両端部では溶着されず隣接するチューブと連通している。したがって、底部３は空気を一箇所から注入することで全てのチューブに空気を入れることができるようになっている。底部３に空気を入れるための第１空気注入口１１は、図２、図４に示すように、傾斜部１０の外面側に設けられている。
底部３の後端部には、図５に示されるように水抜き栓１３が設けられている。また、底部３の下面側の後端にはベビーバス１を乾燥するときや保管するときなどに壁のフックに引っ掛けるための引掛け部１５が取付けられている。
【００１８】
＜お尻ストッパー＞
お尻ストッパー５は、底部３の水平部における前後方向中央部で、かつ、幅方向ほぼ中央部に設けられている。お尻ストッパー５は、図５に示すように、平面視で矩形状の底面を有する他の部分と独立して空気を入れることのできるお尻ストッパー用チューブ１７からなり、底部３の裏面側に空気を注入するための第２空気注入口１８が設けられている。
お尻ストッパー５は、空気を入れた状態で、図１、図７に示すように、後壁２５が斜め上方に湾曲する曲線となり、前辺１９及び側辺２１から立ち上がる壁がほぼ真直ぐ上方に立ち上がって、全体として山形状になっている。すなわち、底面における矩形の後の辺２３から斜め前上方に円弧状に立ち上がる後壁２５と、前辺１９および側辺２１からはほぼ真直ぐ上方に立ち上がる前壁２７および両側壁２９から形成されている。前壁部がほぼ平面になっており、平面にすることで乳幼児のお尻を安定的に支持できるようになっている。
【００１９】
お尻ストッパー５における後壁部の下部にはポケット３１が設けられている。ポケット３１はお尻ストッパー用チューブ１７を、空気を抜いた状態で折り畳んで収納するものである。図８はお尻ストッパー用チューブ１７のポケット３１への収納方法の説明図であり、図８（ａ）がお尻ストッパー用チューブ１７に空気が入っている状態を示し、図８（ｂ）が収納した状態を示している。図８（ｂ）に示すように、空気を抜いたお尻ストッパー用チューブ１７を折り畳んで先端部をポケット３１に収納する。このようにすることにより、お尻ストッパー用チューブ１７の不使用状態においても、空気を抜いた状態のお尻ストッパー用チューブ１７が邪魔にならず、あたかもお尻ストッパーのない浴槽として使用できる。なお、お尻ストッパー用チューブ１７の収納状態の平面図が図９で、図９の矢視Ｂ−Ｂ断面図が図１０である。
【００２０】
＜周壁部＞
周壁部７は、底部３の周囲を囲むように立設され、平面視で図５に示すようにＵ字状になっている。周壁は、縦方向に延びる複数のチューブが連続して設けられている。各チューブの上端側及び下端側は連通しており、周壁全体が一つの注入口からの空気注入が可能になっている。周壁に空気を注入する第３空気注入口３３は、図２に示すように、周壁の前端部に設けられている。
【００２１】
＜脚部＞
脚部９は、底部３の下面側における前側の湾曲部に設けられている。脚部９は、図７に示すように、湾曲部から斜め下方に向けて突出するように設けられている。脚部９は、底部３の全幅に亘って形成され、その断面が略Ｕ字状をしている。そして、脚部９は他の部分と独立して空気を注入できる脚部チューブ３５からなり、脚部チューブ３５の上面に、図２に示すように、空気を入れるための第４空気注入口３７が設けられている。
【００２２】
上記のように構成された本実施の形態においては、各独立した空気注入口から空気を入れることで、図１に示すように乳幼児を入浴させることができる浴槽となる。乳幼児の月齢が小さいときには、お尻ストッパー用チューブ１７にも空気をいれて使用する。
乳幼児の入浴が終わったときは、水抜き栓１３から水を抜き、引掛け部１５を壁などのフックに掛けて干して乾燥させる。
【００２３】
また、乳幼児の月齢が大きくなってお尻ストッパーが不要になったときには、図８〜図１０に示すようにお尻ストッパー用チューブ１７には空気をいれないで、畳んだ状態でポケット３１に収納する。このようにすれば、底部３には邪魔になるものがないので、あたかもお尻ストッパーのない浴槽と同様に使用できる。その結果、乳幼児の成長に合わせた使用形態が可能となり、ベビーバスを長期間使用することができる。
【００２４】
なお、お尻ストッパー用チューブ１７を収納する方法としては種々のものが考えられる。例えば、図１１に示すように、お尻ストッパー用チューブ１７を使用状態にしたときに頂上部となる位置に第１の留め手段としての第１のボタン３９を設け、底部３に該第１の留め手段に係合する第２の留め手段としての第２のボタン４０を設け、お尻ストッパー用チューブ１７の不使用状態においては、図１１（ｂ）に示すように、これらを係合させるようにする。このようにすれば、簡易にお尻ストッパー用チューブ１７の収納ができる。
【００２５】
なお、ボタンの他の留め手段として、図１２に示すように、お尻ストッパー用チューブ１７の使用状態における頂上部と底面に面ファスナー４３を設けるようにしてもよい。
また、他の留め手段としては、お尻ストッパー用チューブ１７の使用状態における頂上部に紐を取付け、この紐を底部３に設けた第２の留め手段としての係止部に巻きつけて固定するようにしてもよい。
【００２６】
また、図１３に示すように、お尻ストッパー用チューブ１７の使用状態における前壁部の周縁部に一方のファスナーレール４５を設け、底部３に他方のファスナーレール４７を設けて、不使用状態においては、図１３（ｂ）に示すように、これら２つのファスナーレール４７、４９にファスナースライダ４９を走行させて両者を結合するようにしてもよい。
【００２７】
さらにまた、図１４に示すように、底部３におけるお尻ストッパー用チューブ１７の後ろ側の端部にお尻ストッパー用チューブ１７の幅方向に亘るゴムバンド５１を設け、お尻ストッパー用チューブ１７の不使用状態においては、図１４（ｂ）に示すように、お尻ストッパー用チューブ１７を折り畳んでゴムバンド５１の下に挿入することにより、ゴムバンド５１で押さえて止めるようにしてもよい。
【００２８】
［実施の形態２］
図１５、図１６は本発明の他の実施の形態を示す図であり、図１５が平面図、図１６が図１５における矢視Ｂ−Ｂ断面図である。図１５、図１６において、図１〜図７に示した部分と同一部分には同一の符号を付してある。
本実施の形態においては、浴槽内における後端部に小物置き５３を設置したものである。小物置き５３はお尻ストッパー用チューブ１７と同様に独立で空気が入れられる小物置きチューブ５５から構成される。したがって、使用しなときには小物置きチューブ５５の空気を抜いて収納するようにすればよい。
【００２９】
収納方法は、前述したお尻ストッパー用チューブ１７と同様の方法によればよい。例えば、図１７に示すように、ベビーバス１の周壁部７における小物置き５３の下方にポケット５７を設け、小物置き５３の収納時には、図１８に示すように、空気を抜いた小物置きチューブ５５をポケット５７に収納するようにする。
また、あるいは図１９に示すように、小物置きチューブ５５の端部に第１のボタン５８を設け、浴槽内に第２のボタン５９を設け、小物置きチューブ５５の収納時には小物置きチューブ５５の空気を抜き、第１のボタン５８と第２のボタン５９を係合させるようにする。
また、あるいは図２０に示すように、第１のボタン５８、第２のボタン５９に代えて、面ファスナー６１を設けるようにしてもよい。
【００３０】
本実施の形態２においては、浴槽内に独立して空気を入れることのできる小物置きチューブ５５を設け、さらに小物置きチューブ５５の空気を抜いた不使用状態で収納できるようにしたので、必要な場合に小物置きを使用し、そうでないときにはあたかも小物置きのない浴槽と同様の使用ができる。
【００３１】
上記の実施の形態１、２においては、お尻ストッパーと小物置きについて説明した。これら、お尻ストッパーと小物置きについは、独立して空気を入れてその機能を発揮するよな従来例は見られない。
さらに、このようなもので、空気を抜いた状態で、上記実施の形態で述べたような収納手段を有するものは知られていない。
【００３２】
そこで、可撓性材料により作られたチューブ内に空気を注入することによって浴槽を形成してなるベビーバスであって、他の部分と独立有し、該機能部材用チューブを、空気を抜いた状態で収納する収納手段を備えてなるようにすることで、従来にない機能的なベビーバスとなる。
すなわち、空気を抜いた状態で機能部材用チューブを収納できるようにすることで、その機能部材を使用しないときには、機能部材用チューブが邪魔にならないようにでき、あたかもその機能部材が付いていないのと同様のベビーバスとなる。
【００３３】
このような機能部材としては、乳幼児の肩を支持する肩ホルダ、乳幼児の頭を支持するヘッドレスト、ベビーバスを支持する脚部などがある。
【図面の簡単な説明】
【００３４】
【図１】本発明の一実施の形態に係るベビーバスの斜視図である。
【図２】本実施の形態に係るベビーバスの正面図である。
【図３】本実施の形態に係るベビーバスの左側面図である。
【図４】本実施の形態に係るベビーバスの右側面図である。
【図５】本実施の形態に係るベビーバスの平面図である。
【図６】本実施の形態に係るベビーバスの底面図である。
【図７】図１における矢視Ａ−Ａ断面図である。
【図８】本実施の形態に係るお尻ストッパーの収納方法の説明図である
【図９】本実施の形態に係るお尻ストッパーの収納状態の平面図である。
【図１０】図９における矢視Ｂ−Ｂ断面図である。
【図１１】本実施の形態におけるお尻ストッパーの他の態様の説明図である。
【図１２】本実施の形態におけるお尻ストッパーの他の態様の説明図である。
【図１３】本実施の形態におけるお尻ストッパーの他の態様の説明図である。
【図１４】本実施の形態におけるお尻ストッパーの他の態様の説明図である。
【図１５】本発明の他の実施の形態に係るベビーバスの平面図である。
【図１６】図１５の矢視Ｃ−Ｃ断面図である。
【図１７】本発明の他の実施の形態に係るベビーバスの動作説明図である。
【図１８】本発明の他の実施の形態に係るベビーバスの動作説明図である。
【図１９】本発明の他の実施の形態に係るベビーバスの他の態様の説明図である。
【図２０】本発明の他の実施の形態に係るベビーバスの他の態様の説明図である。
【符号の説明】
【００３５】
１  ベビーバス
３  底部
５  お尻ストッパー
７  周壁部
９  脚部
１７  お尻ストッパー用チューブ
３１  ポケット
３９  第１のボタン
４１  第２のボタン
４３  面ファスナー
４５  一方のファスナーレール
４７  他方のファスナーレール
４９  ファスナースライダ
５１  ゴムバンド
５３  小物置き
５５  小物置き用チューブ
【図１】
2008036036.tif 000003
【図２】
2008036036.tif 000004
【図３】
2008036036.tif 000005
【図４】
2008036036.tif 000006
【図５】
2008036036.tif 000007
【図６】
2008036036.tif 000008
【図７】
2008036036.tif 000009
【図８】
2008036036.tif 000010
【図９】
2008036036.tif 000011
【図１０】
2008036036.tif 000012
【図１１】
2008036036.tif 000013
【図１２】
2008036036.tif 000014
【図１３】
2008036036.tif 000015
【図１４】
2008036036.tif 000016
【図１５】
2008036036.tif 000017
【図１６】
2008036036.tif 000018
【図１７】
2008036036.tif 000019
【図１８】
2008036036.tif 000020
【図１９】
2008036036.tif 000021
【図２０】
2008036036.tif 000022